(57)【要約】【課題】部品点数の削減や保護シートの小型化を図りつつ、より簡便かつ強固に保護シートによる第１ハーネスと第２ハーネスの固定を実現することができる、新規なハーネス保持構造を提供すること。【解決手段】保護シート１４を用いて、第１ハーネス１０と第２ハーネス１２を保持するハーネス保持構造であって、保護シート１４は、片面全面に粘着部１８が形成されており、第１ハーネス１０の外周の全周に亘って一方の端部２２側から巻き付けられた保護シート１４が筒状部２８を構成して、粘着部１８を介して接着されている一方、保護シート１４の他方の端部３０側が第２ハーネス１２に巻き付けられて、筒状部２８の外面に粘着部１８を介して接着されているようにした。【選択図】図３
2017135815.tif 000002
【特許請求の範囲】
【請求項１】
保護シートを用いて、第１ハーネスと第２ハーネスを保持するハーネス保持構造であって、
前記保護シートは、片面全面に粘着部が形成されており、
前記第１ハーネスの外周の全周に亘って一方の端部側から巻き付けられた前記保護シートが筒状部を構成して、前記粘着部を介して接着されている一方、
前記保護シートの他方の端部側が前記第２ハーネスに巻き付けられて、前記筒状部の外面に前記粘着部を介して接着されている
ことを特徴とするハーネス保持構造。
【請求項２】
前記保護シートの前記粘着部上には全面に亘って離型シートが貼付されており、
前記離型シートには、一方の端部から前記第１ハーネスの外周寸法分だけ離隔した位置に第一のスリットが設けられている一方、前記第一のスリットから前記第２ハーネスを挟持して前記筒状部に接着するのに必要な寸法分だけ離隔した位置に第二のスリットが設けられている請求項１に記載のハーネス保持構造。
【請求項３】
前記保護シートの前記粘着部上には全面に亘って離型シートが貼付されており、
前記離型シートには、一方の端部から所定ピッチ毎にスリットが設けられている請求項１に記載のハーネス保持構造。
【発明の詳細な説明】
【技術分野】
【０００１】
本発明は、保護シートを用いた第１ハーネスと第２ハーネスの保持構造に関するものである。
【背景技術】
【０００２】
従来から、ポリ塩化ビニル（ＰＶＣ）などの保護シートを用い、車両に配索されたワイヤハーネスを保持する構造が知られており、例えば特開２０１５−７０６６５号公報（特許文献１）には、ある車種全般に共通の電線からなる第１ハーネスとしての標準ハーネスに巻き付けられた保護シートを用い、ユーザーニーズによって選択的に付加されるオプション部品用の電線からなる第２ハーネスとしての追加ハーネスを保持する構造が開示されている。
【０００３】
ところで、追加ハーネスはオプション的に必要とされるものであるから、保護シートの標準ハーネスへの巻き付けが完了した後、任意の時期に、必要に応じて標準ハーネスに追加ハーネスを付加できるようになっていることが望ましい。
【０００４】
そこで、特許文献１では、保護シートの中間領域に配置された標準ハーネスを取り囲むように保護シートの一方の端部を折り返して、保護シートの中間領域に形成された帯状の粘着部に固着することで、保護シートによって形成された内側筒状部の内部に先ず標準ハーネスを保持する前工程を行う。その後、追加ハーネスを追加する際には、保護シートの他方の端部をそこに設けられた粘着部を介して内側筒状部の外周面に固着して、外側筒状部を形成し、該外側筒状部の内部を軸方向に挿通状態で追加ハーネスを挿通保持する後工程を行うことで、追加ハーネスを外側筒状部に保持できるのである。
【０００５】
しかしながら、特許文献１に記載の保護シートを標準ハーネスに巻き付ける前工程では、標準ハーネスに対する保護シートの固定のために、各筒状部の両端部を粘着テープなどを巻き付けて結束固定する必要があり、工程が煩雑であった。また、保護シートの一方の端部を固着するために保護シートの中間領域に帯状の粘着部を設ける必要があり、その分保護シート全体が大型化し、コストアップにもつながっていた。
【先行技術文献】
【特許文献】
【０００６】
【特許文献１】特開２０１５−７０６６５号公報
【発明の概要】
【発明が解決しようとする課題】
【０００７】
本発明は、上述の事情を背景に為されたものであって、その解決課題は、部品点数の削減や保護シートの小型化を図りつつ、より簡便かつ強固に保護シートによる第１ハーネスと第２ハーネスの固定を実現することができる、新規なハーネス保持構造を提供することにある。
【課題を解決するための手段】
【０００８】
本発明の第一の態様は、保護シートを用いて、第１ハーネスと第２ハーネスを保持するハーネス保持構造であって、前記保護シートは、片面全面に粘着部が形成されており、前記第１ハーネスの外周の全周に亘って一方の端部側から巻き付けられた前記保護シートが筒状部を構成して、前記粘着部を介して接着されている一方、前記保護シートの他方の端部側が前記第２ハーネスに巻き付けられて、前記筒状部の外面に前記粘着部を介して接着されていることを特徴とする。
【０００９】
本態様によれば、保護シートの片面全面に粘着部が形成されていることから、第１ハーネスの外周の全周に亘って一方の端部側から巻き付けられた保護シートを接着することができる。これにより、従来のように保護シート同士を接着する領域を設けなくても、第１ハーネスが挿通保持される筒状部を設け、その内部に第１ハーネスを安定して保持することができる。それゆえ、保護シートの小型化を図ることができ、保護シートの材料費を削減することができる。また、第１ハーネスの外周の全周に亘って保護シートが粘着部を介して接着されていることから、従来のように第１ハーネスに保護シートが巻き付けられているだけの場合に比して、第１ハーネスの長手方向に保護シートがずれることが阻止されている。それゆえ、従来必要であった筒状部の端部を第１ハーネスに対してテープ巻き固定する工程が不要となり、部品点数の削減や組み付け工程の簡便化を図ることができる。しかも、保護シートの片面全面に粘着部が形成されていることから、第１ハーネスや第２ハーネスの外径寸法に応じた位置に粘着部を設けた多くの種類の保護シートを予め準備しておく必要がない。これにより、保護シートの汎用性が向上すると共に、コストダウンを図ることが可能となる。加えて、第２ハーネスは、保護シートの他方の端部側を第２ハーネスに巻き付けて筒状部の外面に粘着部を介して接着することにより、容易に保持することができる。
【００１０】
なお、保護シートを長くすることで、さらに別のハーネスを保護シートの他方の端部と筒状部の外面の間に挟持することができ、第１ハーネスと第２ハーネスに加えてさらに別の第３、第４のハーネスを保持する構造も可能となっている。
【００１１】
本発明の第二の態様は、前記第一の態様に記載のものにおいて、前記保護シートの前記粘着部上には全面に亘って離型シートが貼付されており、前記離型シートには、一方の端部から前記第１ハーネスの外周寸法分だけ離隔した位置に第一のスリットが設けられている一方、前記第一のスリットから前記第２ハーネスを挟持して前記筒状部に接着するのに必要な寸法分だけ離隔した位置に第二のスリットが設けられているものである。
【００１２】
本態様によれば、離型シートの一方の端部から第１ハーネスの外周寸法分だけ離隔した位置に第一のスリットが設けられていることから、まず第一のスリットから一方の端部側の離型シートを剥がして第１ハーネスの外周の全周に亘って保護シートを巻き付けて接着することができる。このように、離型シートを剥がして保護シートを第１ハーネスの外周に巻き付けるだけの簡単な作業だけで、保護シートを第１ハーネスの外周の全周に亘って接着することができると共に、残りの保護シートは離型シートを貼付したままの状態とできるようになっている。これにより、第１ハーネスに第２ハーネスを付加する後工程を行う場所まで容易に移送等することができる共に、かかる後工程が必要とされる際には第一のスリットと第二のスリット間の離型シートを剥がして保護シートを第２ハーネスの外周に巻き付けた後に筒状部の外面に接着するだけの簡単な作業だけで、第１ハーネスに第２ハーネスを保持することができるようになっている。
【００１３】
本発明の第三の態様は、前記第一の態様に記載のものにおいて、前記保護シートの前記粘着部上には全面に亘って離型シートが貼付されており、前記離型シートには、一方の端部から所定ピッチ毎にスリットが設けられているものである。
【００１４】
本態様によれば、離型シートに一方の端部から所定ピッチ毎にスリットが設けられている。これにより、まず保護シートを第１ハーネスの外周に巻き付ける際には、一方の端部から第１ハーネスの外周寸法分だけの任意の数の離型シートを剥がすことにより、容易に第１ハーネスの外周の全周に亘って保護シートを巻き付けて接着することができる。なお、残りの保護シートは離型シートを貼付したままの状態となっていることから、第１ハーネスに第２ハーネスを付加する後工程を行う場所まで容易に移送等することができる。そして、かかる後工程が必要とされる際には、第２ハーネスに巻き付けて筒状部の外面に固定するのに必要な寸法分だけの離型シートを剥がすことにより、容易に保護シートを第２ハーネスの外周に巻き付けた後に筒状部の外面に接着できて、第１ハーネスと第２ハーネスを安定して保持することができる。このように、離型シートに一方の端部から所定ピッチ毎にスリットが設けられて所望の寸法分だけ離型シートを剥がすことができることから、様々な径寸法を有する第１ハーネスや第２ハーネスに対して１種類の保護シートだけで対応することができ、汎用性の向上を図ることができる。
【００１５】
なお、さらに別のハーネスを保持する必要がある場合には、別のハーネスに巻き付けた後、筒状部の外面に接着するのに必要な寸法分だけの離型シートを剥がすことにより、別のハーネスを上記第２ハーネスや第１ハーネスと共に保持することができる。別のハーネスが複数ある場合には、かかる作業を繰り返すことにより、複数の別のハーネスを第１／第２ハーネスと共に保持することができる。
【発明の効果】
【００１６】
本発明によれば、保護シートの片面全面に粘着部が形成されていることから、第１ハーネスの外周の全周に亘って保護シートを接着できる。これにより、従来のように保護シート同士を接着する領域を設けなくても、第１ハーネスが挿通保持される筒状部を設け、その内部に第１ハーネスを安定して保持できる。それゆえ、保護シートの小型化が図れ、保護シートの材料費を削減できる。また、第１ハーネスの外周の全周に亘って保護シートが粘着部を介して接着されていることから、従来のように第１ハーネスに保護シートが巻き付けられているだけの場合に比して、第１ハーネスの長手方向に保護シートがずれることが阻止されている。それゆえ、従来必要であった筒状部の端部を第１ハーネスに対してテープ巻き固定する工程が不要となり、部品点数の削減や組み付け工程の簡便化ができる。しかも、保護シートの片面全面に粘着部が形成されていることから、第１ハーネスや第２ハーネスの外径寸法に応じた位置に粘着部を設けた多くの種類の保護シートを予め準備しておく必要がない。これにより、保護シートの汎用性が向上すると共に、コストダウンが可能となる。加えて、第２ハーネスは、保護シートの他方の端部側を第２ハーネスに巻き付けて筒状部の外面に粘着部を介して接着することにより、容易に保持できる。
【図面の簡単な説明】
【００１７】
【図１】本発明の一実施形態としてのハーネス保持構造に用いられる保護シートの平面図。
【図２】図１のＩＩ−ＩＩ断面図。
【図３】図２に示す保護シートを用いたハーネス保持構造を示す断面図（（ａ）第１ハーネスに巻き付けられて筒状部が構成された状態、（ｂ）さらに第２ハーネスに巻き付けられた状態、（ｃ）最後に筒状部に接着された状態）。
【図４】本実施形態に用いられる保護シートの別の態様を示す平面図。
【図５】本発明の別の実施形態としてのハーネス保持構造を示す断面図であって、図３（ｃ）に相当する図。
【発明を実施するための形態】
【００１８】
以下、本発明の実施形態について、図面を参照しつつ説明する。
【００１９】
図１〜３には、本発明の一実施形態に従うハーネス保持構造を用いて、第１ハーネス１０と第２ハーネス１２を保持する構造が示されている。以下の説明において、上方とは、図２中の上方、下方とは、図２中の下方を言うものとする。
【００２０】
先ず、図１〜２には、本実施形態としてのハーネス保持構造に用いられる保護シート１４が、示されている。保護シート１４は、ＰＶＣ（ポリ塩化ビニル）などの合成樹脂材料などから形成されるシート状の基材１６上の片面全面に、例えば合成ゴム系などの粘着剤が塗布されてなる粘着部１８が形成された構造とされている。さらに、保護シート１４の粘着部１８上には全面に亘って離型シート２０が貼付されている。離型シート２０としては、例えば上質紙などの基材上にＰＥ（ポリエチレン）樹脂などからなる目止め層を介してシリコーン系などの剥離剤がコーティングされて形成されたものや、ＰＥＴ（ポリエチレンテレフタレート）樹脂などからなるシート状の基材上にシリコーン系などの剥離剤がコーティングされたものが用いられる。そして、かかる離型シート２０には、一方の端部２２から後述する第１ハーネス１０の外周寸法分：ａだけ離隔した位置に、一方の端部２２に沿って離型シート２０の幅方向（図１中、左右方向）の全長に亘って延びる第一のスリット２４が設けられている。さらに、第一のスリット２４から所定の寸法分：ｂだけ離隔した位置に、一方の端部２２に沿って離型シート２０の幅方向（図１中、左右方向）の全長に亘って延びる第二のスリット２６が設けられている。より詳細には、かかる所定の寸法分：ｂとは、後述するように、第２ハーネス１２を挟持して筒状部２８に接着するのに必要な寸法のことである。
【００２１】
このような構成とされた保護シート１４を用いて、第１ハーネス１０と第２ハーネス１２を保持する方法について、図３を用いて、説明する。先ず、保護シート１４から、一方の端部２２と第一のスリット２４の間にある離型シート２０を剥がした後、図３（ａ）に示されているように、保護シート１４を一方の端部２２側から第１ハーネス１０の外周に巻き付ける。この際、一方の端部２２と第一のスリット２４間の寸法：ａが、第１ハーネス１０の外周寸法：ａと略同じとされていることから、保護シート１４は第１ハーネス１０の外周の全周に亘って粘着部１８を介して接着されて、かかる保護シート１４によって略円筒形状の筒状部２８が構成されている。ここで、第１ハーネス１０の外周に接着された以外の残りの保護シート１４には、離型シート２０が貼付されたままの状態となっている。なお、保護シート１４が第１ハーネス１０の外周上で重なる箇所において大きな段差があるように見えるが、これは理解を容易とするために厚さ方向を拡大した状態で保護シート１４を記載しているためであって、実際には段差は十分に小さい。
【００２２】
次に、残る保護シート１４から、第一のスリット２４と第二のスリット２６の間にある離型シート２０を剥がした後、図３（ｂ）に示されているように、保護シート１４の他方の端部３０側を第２ハーネス１２の外周に巻き付ける。この際、第一のスリット２４と第二のスリット２６間の寸法：ｂが、第２ハーネス１２を挟持して筒状部２８に接着するのに必要な寸法：ｂと略同じとされていることから、保護シート１４は第２ハーネス１２の外周に巻き付けられた後に、筒状部２８の外周に仮止めされるようになっている。最後に、残る他方の端部３０の離型シート２０を剥がして、図３（ｃ）に示されているように、保護シート１４の他方の端部３０側を筒状部２８の外周に粘着部１８を介して接着することにより、第１ハーネス１０と第２ハーネス１２が保持されるようになっている。なお、理解を容易とするため、図３では、第１ハーネス１０と第２ハーネス１２を仮想線で記載している。
【００２３】
このような本実施形態に従うハーネス保持構造によれば、保護シート１４の片面全面に粘着部１８が形成されていることから、第１ハーネス１０の外周の全周に亘って粘着部１８を介して保護シート１４を接着することができ、かかる保護シート１４によって略円筒形状の筒状部２８が構成されている。これにより、従来のように保護シート同士を接着する領域を設けなくても、その内部に第１ハーネス１０を安定して保持することができる筒状部２８を構成することができる。それゆえ、保護シート１４を小型化でき、保護シート１４の材料費を削減することができる。また、第１ハーネス１０の外周の全周に亘って粘着部１８を介して保護シート１４が接着されていることから、従来のように第１ハーネスに保護シートが巻き付けられているだけの場合に比して、第１ハーネス１０の長手方向に対して保護シート１４がずれることが有利に阻止されている。それゆえ、従来必要であった筒状部の端部を第１ハーネスに対してテープ巻き固定する工程が不要となることから、部品点数の削減や組み付け工程の簡便化を図ることができる。しかも、第２ハーネス１２は、保護シート１４の他方の端部３０側を第２ハーネス１２に巻き付けた後、筒状部２８の外面に粘着部１８を介して接着することにより、容易に保持することができるようになっている。
【００２４】
離型シート２０には、一方の端部２２から第１ハーネス１０の外周寸法分：ａだけ離隔した位置に第一のスリット２４が設けられている。これにより、一方の端部２２と第一のスリット２４の間にある離型シート２０を剥がして保護シート１４を第１ハーネス１０の外周に巻き付けるだけの簡単な作業だけで、保護シート１４を第１ハーネス１０の外周の全周に亘って接着できると共に、残りの保護シート１４は離型シート２０を貼付したままの状態とできる。それゆえ、第１ハーネス１０に第２ハーネス１２を付加する後工程を行う場所まで容易に移送等することができる。また、離型シート２０には、第一のスリット２４から所定の寸法分：ｂだけ離隔した位置に第二のスリット２６が設けられている。ここで、かかる所定の寸法分：ｂとは、第２ハーネス１２を挟持して筒状部２８に接着するのに必要な寸法分のことである。それゆえ、かかる後工程が必要とされる際には、第一のスリット２４と第二のスリット２６間の離型シート２０を剥がして保護シート１４を第２ハーネス１２の外周に巻き付けて筒状部２８の外面に仮止めした後、残る他方の端部３０の離型シート２０を剥がして保護シート１４を筒状部２８の外周に粘着部１８を介して接着するだけの簡単な作業だけで、第１ハーネス１０に第２ハーネス１２を保持することができるのである。
【００２５】
次に、図４を用いて、本発明のハーネス保持構造に用いられる別の態様の保護シート３２について詳述するが、上記実施形態と同様な構造とされた部材および部位については、図中に、上記実施形態と同一の符号を付することにより、それらの詳細な説明を省略する。かかる保護シート３２では、離型シート３４に一方の端部２２から所定ピッチ：ｃ毎にスリット３６が設けられている点に関して、上記実施形態と異なる実施形態を示すものである。
【００２６】
本実施形態においても、離型シート３４に一方の端部２２から所定ピッチ：ｃ毎にスリット３６が設けられていることから、まず保護シート３２を第１ハーネス１０の外周に巻き付ける際には、一方の端部２２から第１ハーネス１０の外周寸法分：ａだけの数の離型シート３４を剥がして保護シート３２を第１ハーネス１０の外周に巻き付けるだけの簡単な作業だけで、保護シート３２を第１ハーネス１０の外周の全周に亘って接着できると共に、かかる保護シート３２によって略円筒形状の筒状部２８を構成することができる。また、残りの保護シート３２は離型シート３４を貼付したままの状態とされていることから、第１ハーネス１０に第２ハーネス１２を付加する後工程を行う場所まで容易に移送等することができる。そして、かかる後工程が必要とされる際には、第２ハーネス１２に巻き付けて筒状部２８の外面に固定するのに必要な寸法分：ｂだけの離型シート３４を剥がして保護シート３２を第２ハーネス１２の外周に巻き付けて筒状部２８の外面に仮止めした後、残る他方の端部３０の離型シート３４を剥がして保護シート３２を筒状部２８の外周に粘着部１８を介して接着するだけの簡単な作業だけで、第１ハーネス１０に第２ハーネス１２を安定して保持することができるようになっている。このように、離型シート３４に一方の端部２２から所定ピッチ：ｃ毎にスリット３６が設けられて所望の寸法分：ａ，ｂだけ離型シート３４を剥がすことができることから、様々な径寸法を有する第１ハーネス１０や第２ハーネス１２に対して１種類の保護シート３２だけで対応することができ、汎用性の向上を図ることができる。
【００２７】
以上、本発明の複数の実施形態について詳述したが、本発明はこれらの具体的な記載によって限定されない。例えば、上記実施形態では、保護シート１４，３２を用いて、第１ハーネス１０と第２ハーネス１２を保持することができるようになっていたが、保護シート１４，３２を長くする（図１，４中、上下方向）ことにより、図５に示すように、さらに別のハーネス３８を保護シート１４，３２の他方の端部３０と筒状部２８の外面の間に挟持することができることから、第１ハーネス１０と第２ハーネス１２に加えてさらに別のハーネス３８を保持する構造も可能となる。また、別のハーネスが複数ある場合には、かかる作業を繰り返すことにより、複数の別のハーネスを第１／第２ハーネス１０，１２と共に保持することができる。
【符号の説明】
【００２８】
１０：第１ハーネス、１２：第２ハーネス、１４，３２：保護シート、１８：粘着部、２０，３４：離型シート、２２：一方の端部、２４：第一のスリット、２６：第二のスリット、２８：筒状部、３０：他方の端部、３６：スリット
【図１】
2017135815.tif 000003
【図２】
2017135815.tif 000004
【図３】
2017135815.tif 000005
【図４】
2017135815.tif 000006
【図５】
2017135815.tif 000007